(57)【特許請求の範囲】
【請求項１】
ワイヤレス送受信ユニット（ＷＴＲＵ）におけるサウンディング参照信号（ＳＲＳ）電力制御のための方法であって、
複数のコンポーネントキャリアの各コンポーネントキャリアに対するＳＲＳ電力レベルを算出するステップと、
前記算出されたＳＲＳ電力レベル、およびコンポーネントキャリアに基づく最大電力レベルの低い方を、前記複数のコンポーネントキャリアの各コンポーネントキャリアに対する実際のＳＲＳ電力レベルとして選択するステップと、
前記複数のコンポーネントキャリアの各コンポーネントキャリアに対するＳＲＳ送信電力レベルを、前記選択された実際のＳＲＳ電力レベルに設定するステップと、
前記複数のコンポーネントキャリアに対する要求される送信電力の合計が最大電力レベルを超えるという条件で、前記複数のコンポーネントキャリアの少なくとも一部に対する前記ＳＲＳ送信電力レベルを減らすステップと、
前記複数のコンポーネントキャリアを送信するステップと
を含むことを特徴とする方法。
【請求項２】
前記コンポーネントキャリアに基づく最大電力レベルは、
コンポーネントキャリア固有ＳＲＳ電力オフセット、
コンポーネントキャリア固有ＳＲＳ帯域幅パラメータ、
コンポーネントキャリア固有開ループ電力パラメータ、
コンポーネントキャリア固有経路損失補償係数、または
コンポーネントキャリア固有閉ループ電力調整関数
の少なくとも１つに基づくキャリア固有電力レベルであることを特徴とする請求項１に記載の方法。
【請求項３】
前記算出されたＳＲＳ電力レベルは、サウンディング参照信号（ＳＲＳ）オフセット、リソースＳＲＳ送信の帯域幅、セル固有名目コンポーネント、セル固有パラメータ、ダウンリンク経路損失推定値、およびＰＵＳＣＨ（物理アップリンク共有チャネル）用の現在の電力制御調整に基づくことを特徴とする請求項１に記載の方法。
【請求項４】
前記コンポーネントキャリアに基づく最大電力レベルは、
キャリア共通ＳＲＳ電力オフセット、
キャリア共通ＳＲＳ帯域幅パラメータ、
キャリア共通開ループ電力パラメータ、
キャリア共通経路損失補償係数、または
キャリア共通閉ループ電力調整関数
の少なくとも１つに基づくキャリア共通電力レベルであることを特徴とする請求項１に記載の方法。
【請求項５】
前記コンポーネントキャリアの少なくとも一部はすべてのコンポーネントキャリアであることを特徴とする請求項１に記載の方法。
【請求項６】
複数のコンポーネントキャリアの各コンポーネントキャリアに対するＳＲＳ電力レベルを算出するように構成されるプロセッサであって、
前記プロセッサは、前記算出されたＳＲＳ電力レベル、およびコンポーネントキャリアに基づく最大電力レベルの低い方を、前記複数のコンポーネントキャリアの各コンポーネントキャリアに対する実際のＳＲＳ電力レベルとして選択するように構成され、
前記プロセッサは、各コンポーネントキャリアに対するＳＲＳ送信電力レベルを、前記選択された実際のＳＲＳ電力レベルに設定するようにさらに構成され、
前記複数のコンポーネントキャリアのすべてのコンポーネントキャリアに対する要求される送信電力の合計が最大電力レベルを超えるという条件で、前記プロセッサは、前記複数のコンポーネントキャリアの少なくとも一部に対する前記ＳＲＳ送信電力レベルを減らすようにさらに構成された、プロセッサと、
前記複数のコンポーネントキャリアを、同時に送信するように構成された送信機と
を備えることを特徴とするワイヤレス送受信ユニット（ＷＴＲＵ）。
【請求項７】
前記コンポーネントキャリアに基づく最大電力レベルは、
コンポーネントキャリア固有ＳＲＳ電力オフセット、
コンポーネントキャリア固有ＳＲＳ帯域幅パラメータ、
コンポーネントキャリア固有開ループ電力パラメータ、
コンポーネントキャリア固有経路損失補償係数、または
コンポーネントキャリア固有閉ループ電力調整関数
の少なくとも１つに基づくキャリア固有電力レベルであることを特徴とする請求項６に記載のＷＴＲＵ。
【請求項８】
前記算出されたＳＲＳ電力レベルは、サウンディング参照信号（ＳＲＳ）オフセット、リソースＳＲＳ送信の帯域幅、セル固有名目コンポーネント、セル固有パラメータ、ダウンリンク経路損失推定値、およびＰＵＳＣＨ（物理アップリンク共有チャネル）用の現在の電力制御調整に基づくことを特徴とする請求項６に記載のＷＴＲＵ。
【請求項９】
前記コンポーネントキャリアに基づく最大電力レベルは、
キャリア共通ＳＲＳ電力オフセット、
キャリア共通ＳＲＳ帯域幅パラメータ、
キャリア共通開ループ電力パラメータ、
キャリア共通経路損失補償係数、または
キャリア共通閉ループ電力調整関数
の少なくとも１つに基づくキャリア共通電力レベルであることを特徴とする請求項６に記載のＷＴＲＵ。
【請求項１０】
前記コンポーネントキャリアの少なくとも一部はすべてのコンポーネントキャリアであることを特徴とする請求項６に記載のＷＴＲＵ。
【発明の詳細な説明】
【技術分野】
【０００１】
本出願は、ワイヤレス通信に関する。
【背景技術】
【０００２】
関連出願の相互参照
本願は、参照により本明細書において完全に説明されているものとして組み込まれている、２００９年３月１７日に出願した米国特許仮出願第６１／１６０，９７９号明細書の利益を主張する。
【０００３】
比較的高いデータレートおよびスペクトル効率をサポートするために、３ＧＰＰ（第３世代パートナーシッププロジェクト）は、ＬＴＥ（ロングタームエボリューション）に改良を提案した。
【０００４】
ＬＴＥ（すなわち、ＬＴＥリリース８／９）において、ＳＣ−ＦＤＭＡ（単一キャリア周波数分割多重アクセス）送信が、アップリンク（ＵＬ）方向用に選択された。具体的な実装は、ＤＦＴ−Ｓ−ＯＦＤＭ（離散フーリエ変換拡散直交周波数分割多重）に基づく。本出願のために、いずれの用語も、入れ換えて用いられ得る。ＵＬにおけるワイヤレス送受信ユニット（ＷＴＲＵ）は、ＦＤＭＡ配置における、限定された、隣接した１組の割り当てられたサブキャリア上でのみ送信を行うことになる。説明目的でのみ、ＵＬにおける全体的ＯＦＤＭ信号またはシステム帯域幅は、１から１００の番号の有用サブキャリアからなり、第１の所与のＷＴＲＵが、それ自体の信号をサブキャリア１〜１２上で送信するために割り当てられることになり、第２の所与のＷＴＲＵが、サブキャリア１３〜２４上で送信することになり、以下同様に続く。進化型ＮｏｄｅＢ（ｅＮｏｄｅＢまたはｅＮＢ）は、１つまたは複数のＷＴＲＵから同時に、送信帯域幅全体にわたる複合ＵＬ信号を受信することになるが、各ＷＴＲＵは、利用可能な送信帯域幅のサブセットの中に送信するだけである。ＷＴＲＵに割り当てられた時間周波数リソースが、周波数が連続する１組のサブキャリアからならなければならないという追加制約を有するＯＦＤＭ送信の形として、ＬＴＥ  ＵＬにおけるＤＦＴ−Ｓ  ＯＦＤＭが、３ＧＰＰ無線層１（ＲＡＮ１）によって選択された。ＬＴＥ  ＵＬには、（ダウンリンク（ＤＬ）とは異なり）ＤＣサブキャリアがない。周波数ホッピングが、ある動作モードにおいて、ＷＴＲＵによってＵＬ送信に適用され得る。
【０００５】
ＷＴＲＵは、そのＵＬデータ（および一部のケースでは、その制御情報）を、ＰＵＳＣＨ（物理アップリンク共有チャネル）上で送信する。ＰＵＳＣＨの送信は、いわゆるアップリンクスケジューリンググラントを使って、ｅＮｏｄｅＢによってスケジュールされ制御され、このグラントは、ＰＤＣＣＨ（物理ダウンリンク制御チャネル）フォーマット０で搬送される。アップリンクスケジューリンググラントの一部として、ＷＴＲＵは、ＭＣＳ（変調および符号化セット）に関する制御情報、送信電力制御（ＴＰＣ）コマンド、アップリンクリソース割振り（すなわち、割り振られたリソースブロックの索引）などを受信する。次いで、ＷＴＲＵは、そのＰＵＳＣＨを、ＴＰＣコマンドによって制御される送信電力で、対応するＭＣＳを用いて、割り振られたアップリンクリソース上で送信する。
【０００６】
ＬＴＥ  ＤＬと同様に、チャネル推定のための参照信号も、ＬＴＥ  ＵＬが、ｅＮｏｄｅＢの所でのＰＵＳＣＨ（またはＰＵＣＣＨ）のコヒーレント復調を可能にするのに必要とされる。こうした参照信号は、ＵＬ復調参照信号（ＤＲＳ）と呼ばれる。こうした信号は常に、ＰＵＳＣＨ（またはＰＵＣＣＨ）と同じ周波数帯を用いて一緒に送信され、また、同じ周波数帯をカバーしている。
【０００７】
ｅＮｏｄｅＢが、ＵＬスケジューリングに関するＵＬチャネル品質を推定できるようにするために、サウンディング参照信号（ＳＲＳ）は、ＰＵＳＣＨおよびＰＵＣＣＨの送信に関連づけられていないＵＬにおいて送信すればよい。周波数領域において、ＳＲＳ送信は、周波数領域スケジューリングの対象となっている周波数帯をカバーし得る。ＳＲＳは、あるサブフレーム中で送信されるべきであるとき、そのサブフレームの最終ＳＣ−ＦＤＭＡシンボルを占有する。ＷＴＲＵが、ある特定のサブフレーム中でＳＲＳを送信中である場合、そのサブフレームの最終シンボルは、セル内部のどのＷＴＲＵによっても、ＰＵＳＣＨ送信には使われない。
【０００８】
ｅＮｏｄｅＢが、各ＵＬ用の周波数スケジューリングに関する、信頼できるチャネル推定を実施するために、ＳＲＳ（および他のチャネル）用の送信電力が制御される。ＬＴＥ方法は、ＵＬ  ＭＩＭＯ（多重入出力）およびキャリア集約技術が使用されるＳＲＳ送信の一部でなくてよい。ＵＬ  ＭＩＭＯおよびキャリア集約も、ＳＲＳパラメータおよび電力設定の決定に影響を与え得る。
【発明の概要】
【０００９】
本出願の実施形態例は、ワイヤレス送受信ユニット（ＷＴＲＵ）用のサウンディング参照信号（ＳＲＳ）電力制御のための方法および機器を含む。こうした実施形態例は、キャリア集約技術を使用する、ＷＴＲＵにおけるキャリア固有およびキャリア共通ＳＲＳ電力制御のための方法および機器、ならびにキャリア集約およびＴＤＭ（時分割多重化）技術両方を使用する、ＷＴＲＵにおけるＳＲＳ電力制御のための方法および機器を含む。さらに、こうした実施形態例は、多重入出力ＭＩＭＯ動作を使用する、ＷＴＲＵ用のＳＲＳ電力制御のための方法および機器を含む。それ以外の実施形態例は、ＷＴＲＵにおけるＳＲＳオーバーヘッド削減および電力管理のための方法および機器を含む。
【図面の簡単な説明】
【００１０】
添付の図面とともに、例として挙げられる以下の説明により、より詳細な理解が得られよう。
【図１】ＬＴＥ（ロングタームエボリューション）ワイヤレス通信システム／アクセスネットワークを示す図である。
【図２】ＬＴＥワイヤレス通信システムを示すブロック図である。
【図３】コンポーネントキャリア固有ＳＲＳ電力制御を示す基本的フローチャートである。
【図４】キャリア共通ＳＲＳ電力制御を示す基本的フローチャートである。
【図５】多重アンテナポート（または層）を介してＳＲＳが送信される構成のためのＳＲＳ電力制御を示す基本的フローチャートである。
【発明を実施するための形態】
【００１１】
これ以降において言及する場合、「ワイヤレス送受信ユニット（ＷＴＲＵ）」という用語は、ユーザ機器（ＵＥ）、移動局、固定もしくは移動加入者ユニット、ページャ、セルラー電話、ＰＤＡ（携帯情報端末）、コンピュータ、またはワイヤレス環境において動作することが可能な他のどのタイプのユーザ装置も含むが、それに限定されない。これ以降において言及する場合、「基地局」という用語は、ノードＢ、進化型ＮｏｄｅＢ（ｅＮｏｄｅＢもしくはｅＮＢ）、サイトコントローラ、アクセスポイント（ＡＰ）、またはワイヤレス環境において動作することが可能な他のどのタイプのインタフェース装置も含むが、それに限定されない。
【００１２】
図１は、Ｅ−ＵＴＲＡＮ（進化型ユニバーサル地上無線アクセスネットワーク）２０５を含むＬＴＥ（ロングタームエボリューション）ワイヤレス通信システム／アクセスネットワーク２００を示す。Ｅ−ＵＴＲＡＮ２０５は、いくつかのｅＮＢ（進化型ノードＢ）２２０を含む。ＷＴＲＵ２１０は、ｅＮＢ２２０と通信する。ｅＮＢ２２０は、Ｘ２インタフェースを使って互いとインタフェースをとる。ｅＮＢ２２０はそれぞれ、Ｓ１インタフェースを介して、移動管理エンティティ（ＭＭＥ）／Ｓ−ＧＷ（サービングゲートウェイ）２３０とインタフェースをとる。単一のＷＴＲＵ２１０および３つのｅＮＢ２２０が図２に示されているが、ワイヤレスおよびワイヤード装置のどの組合せも、ワイヤレス通信システムアクセスネットワーク２００に含まれ得ることが明らかであろう。
【００１３】
図２は、ＷＴＲＵ２１０、ｅＮＢ２２０、およびＭＭＥ／Ｓ−ＧＷ２３０を含むＬＴＥワイヤレス通信システム３００のブロック図例である。図２に示すように、ＷＴＲＵ２１０、ｅＮＢ２２０およびＭＭＥ／Ｓ−ＧＷ２３０は、ＭＩＭＯおよびキャリア集約技術を用いるＳＲＳ送信の方法を実施するように構成される。
【００１４】
典型的なＷＴＲＵにおいて見られ得る構成要素に加え、ＷＴＲＵ２１０は、任意選択のリンクされたメモリ３２２を有するプロセッサ３１６、少なくとも１つのトランシーバ３１４、任意選択のバッテリ３２０、およびアンテナ３１８を含む。プロセッサ３１６は、ＭＩＭＯおよびキャリア集約技術を用いるＳＲＳ送信の方法を実施するように構成される。トランシーバ３１４は、プロセッサ３１６およびアンテナ３１８と通信して、ワイヤレス通信の送受信を容易にする。ＷＴＲＵ２１０内でバッテリ３２０が使われるケースでは、バッテリ３２０は、トランシーバ３１４およびプロセッサ３１６に電力を供給する。
【００１５】
典型的なｅＮＢにおいて見られ得る構成要素に加え、ｅＮＢ２２０は、任意選択のリンクされたメモリ３１５を有するプロセッサ３１７、トランシーバ３１９、およびアンテナ３２１を含む。プロセッサ３１７は、（ＭＩＭＯ）およびキャリア集約技術を用いてＳＲＳ機能性をサポートするように構成される。トランシーバ３１９は、プロセッサ３１７およびアンテナ３２１と通信して、ワイヤレス通信の送受信を容易にする。プロセッサは概して、ｉ）どのＷＴＲＵがＳＲＳを送信する予定であるか判定し、ｉｉ）ＳＲＳ送信のための周波数および時間における各ＷＴＲＵの割振り、ならびにＳＲＳ送信のタイプを判定し、この情報をＷＴＲＵに伝達し、ｉｉｉ）ＳＲＳ測定情報を受信し、ｉｖ）ＳＲＳ情報を処理し、スケジューラ（やはりプロセッサ３１７内にある）がスケジューリング決断を行う（たとえば、ＷＴＲＵにＵＬリソースを割り当てる）ことができるように、スケジューラに知らせるように構成される。ｅＮＢ２２０は、任意選択のリンクされたメモリ３３４を有するプロセッサ３３３を含むＭＭＥ／Ｓ−ＧＷ（移動管理エンティティ／サービングゲートウェイ）２３０に接続される。
【００１６】
ＬＴＥ（すなわち、ＬＴＥリリース８／９）には、単一アンテナおよび単一キャリアを用いる、ＰＵＣＣＨ、ＰＵＳＣＨ、またはサウンディング参照信号（ＳＲＳ）の単一送信がある。ＷＴＲＵは、ＳＲＳおよびＰＵＣＣＨフォーマット２／２ａ／２ｂ送信が偶然、同じサブフレーム中で同時に起こるときは常に、ＳＲＳを送信しない。ＷＴＲＵは、ＳＲＳおよび肯定応答／否定応答（ＡＣＫ／ＮＡＣＫ）および／または肯定ＳＲＳ送信が偶然、同じサブフレーム中で同時に起こるときは常に、パラメータＳｉｍｕｌｔａｎｅｏｕｓ−ＡＮ−ａｎｄ−ＳＲＳが真でない限り、ＳＲＳを送信しない。上位層によって与えられるパラメータＳｉｍｕｌｔａｎｅｏｕｓ−ＡＮ−ａｎｄ−ＳＲＳは、ＰＵＣＣＨ上でのＡＣＫ／ＮＡＣＫおよび１つのサブフレーム中でのＳＲＳの送信をサポートするようにＷＴＲＵが構成されているかどうか判定する。ＰＵＣＣＨ上でのＡＣＫ／ＮＡＣＫおよび１つのサブフレーム中でのＳＲＳの送信をサポートするように構成されている場合、セル固有ＳＲＳサブフレーム中で、ＷＴＲＵは、短縮されたＰＵＣＣＨフォーマットを用いてＡＣＫ／ＮＡＣＫおよびＳＲを送信しなければならないが、このフォーマットにおいて、ＳＲＳシンボルに対応するＡＣＫ／ＮＡＣＫまたはＳＲシンボルは破壊される。
【００１７】
ＬＴＥにおいて、ｅＮｏｄｅＢが、各ＵＬ向けの周波数スケジューリングのための信頼できるチャネル推定を実施するために、ＳＲＳ（および他のチャネル）用の送信電力が制御される。ＷＴＲＵがＳＲＳ用の電力制御（ＰＣ）をサポートするための機能的要件は、以下に含まれる。サブフレームｉにおいて送信されるサウンディング参照記号用のＷＴＲＵ送信電力ＰSRSの設定は、
【００１８】
ＰSRS（ｉ）＝ｍｉｎ｛ＰMAX，ＰSRS_OFFSET＋１０ｌｏｇ10（ＭSRS）＋ＰO_PUSCH（ｊ）＋α・ＰＬ＋ｆ（ｉ）｝［ｄＢｍ］  式１
によって定義され、上式では、以下のようになる。
【００１９】
ＫS＝１．２５の場合、ＰSRS_OFFSETは、［−３，１２］ｄＢの範囲内で、１ｄＢのステップサイズで上位層によって半静的に構成される、４ビットのＷＴＲＵ固有パラメータである。
【００２０】
ＫS＝０の場合、ＰSRS_OFFSETは、［−１０．５，１２］ｄＢの範囲内で、１．５ｄＢのステップサイズで上位層によって半静的に構成される、４ビットのＷＴＲＵ固有パラメータである。
【００２１】
ＭSRSは、リソースブロックの数で表される、サブフレームｉ中でのＳＲＳ送信の帯域幅である。
【００２２】
ｆ（ｉ）は、ＰＵＳＣＨに関する現在の電力制御調整状態である。
【００２３】
ＰO_PUSCH（ｊ）はパラメータであり、ここではｊ＝１である。
【００２４】
ＷＴＲＵ送信は、帯域外発射標準を満たすための要件（たとえば、隣接チャネル漏洩電力比（ＡＣＬＲ））および帯域内信号忠実度要件、たとえば、エラーベクトル振幅（ＥＶＭ）を満足しなければならない。通常、電力増幅器は、帯域外発射の受容可能レベルを維持するように、線形または近線形範囲内で操作されなければならず、線形性の程度は、波形の固有特性によってインパクトを受ける。歴史的に、ピーク対平均電力比（ＰＡＰＲ）が、帯域外発射に対する波形のインパクトを予測する性能指数として用いられてきた。３ＧＰＰでは、ＰＡＰＲよりも、必要電力増幅器バックオフに対する波形のインパクトを反映するために、キュービックメトリック（ＣＭ）が検討され採用されている。以下の式が、ＣＭの定義となり得る。
【００２５】
ＣＭ＝［２０＊ｌｏｇ１０（（ｖ＿ｎｏｒｍ３）ｒｍｓ）−２０＊ｌｏｇ１０（（ｖ＿ｎｏｒｍ＿ｒｅｆ３）ｒｍｓ）］／１．８５  式２
上式で、ｖ＿ｎｏｒｍは、入力信号の正規化された電圧波形であり、ｖ＿ｎｏｒｍ＿ｒｅｆは、参照信号の正規化された電圧波形（１２．２ｋｂｐｓのＡＭＲ音声）であり、
２０＊ｌｏｇ１０（（ｖ＿ｎｏｒｍ＿ｒｅｆ３）ｒｍｓ）＝１．５２ｄＢ  式３
である。
【００２６】
たとえば、上記ＣＭ公式を用いると、テーブル１は、一定の送信シナリオに対する、ＣＭの９０％のｃｄｆ（累積密度関数）値を示す。テーブル中の、ＯＦＤＭＡにおけるＣＭ結果は、参考のために示してあることに留意されたい。テーブル中に見られるように、ＣＭは、割り振られた無線ベア（ＲＢまたはサブキャリア）中の不連続の数、変調タイプなどとともに変化する。たとえば、ＱＰＳＫ（四位相偏移変調）および最大５つのクラスタを用いるクラスタ化ＤＦＴ−Ｓ−ＦＤＭＡ（たとえば、非隣接ＲＢ割振り）のＣＭは、ＱＰＳＫ用ＳＣ−ＦＤＭＡと比較して、１．３ｄＢより大きい分だけ増大され、ＱＰＳＫは、セルエッジＷＴＲＵ用に使われる傾向がある。ＣＭ分析のために、全ＲＢ用の同じ電力が想定されたとしても、ＣＭはやはり、（特に、非隣接送信における）異なるＲＢの間の電力比および送信アンテナの数の関数でよい。将来のＬＴＥリリースでは、ＵＬにおいて、ＰＵＳＣＨおよびＰＵＣＣＨが同時に送信される可能性がある（また、非隣接ＲＢ割振りも認められる可能性がある）。こうした送信条件の下で、総送信信号波形はもはや、ＳＣ−ＦＤＭＡのプロパティをもたない。これにより、総送信信号のＣＭ（またはＰＡＰＲ）が増大することになる。具体的には、同じサブフレーム中でＰＵＳＣＨ送信およびＰＵＣＣＨ送信が同時に起こるケースでは、ＰＵＳＣＨおよびＰＵＣＣＨに対する電力レベルは、それぞれ、電力設定が独立しているので、非常に異なりがちである。その場合、結果的に生じたＣＭは、ＱＰＳＫを用いるＳＣ−ＦＤＭＡよりも２ｄＢも高く増大され得る。
【００２７】
こうしたケースでは、ＷＴＲＵが、その送信要件（たとえば、ＥＶＭおよびＡＣＬＲ要件）を満たすために、２つの同時送信の増大したＣＭを扱うことが必要な場合がある。ＵＬ信号のＣＭの増大により、ＷＴＲＵ電力増幅器は、送信要件を満たすために、最大送信電力をバックオフすることが求められる場合がある。このことは、Ｐｃｍａｘ（またはＰｕｍａｘ）にバックオフを印加することと等価である。バックオフは、割り振られた非隣接ＲＢ（またはＲＢＧ）の数、ＲＢ（またはチャネル）の電力比（複数可）、変調タイプなどの関数でよい。このようなバックオフは、ＷＴＲＵ内で実施することができる。あるいは、ｅＮｏｄｅＢが、各ＷＴＲＵに情報を提供し得る。
【００２８】
【表１】
0005555763.tif 000002
【００２９】
将来のＬＴＥリリースは、多重送信アンテナおよびキャリア集約でのＳＲＳ送信もサポートする可能性がある。ＷＴＲＵ  ＳＲＳ手順および電力制御のための機能的要件は、こうした追加特徴をサポートするように修正されなければならない。
【００３０】
ＬＴＥにおいて、ＳＲＳは、多重送信アンテナを用いては送信されないが、割り当てられたすべてのＳＲＳサブフレーム中で単一アンテナを使って送られる。また、ＳＲＳは、多重コンポーネントキャリアを介して送信されることはなく、常に単一キャリアを使って送られる。さらに、ＷＴＲＵが、ある一定のサブフレーム中でＳＲＳを送信中である場合、他のチャネル（たとえば、ＰＵＳＣＨおよびＰＵＣＣＨ）は、ＳＲＳが送られるのと同じＳＣ−ＦＤＭＡシンボル（すなわち、サブフレームの最終シンボル）に入れて同時に送信されるのではない。
【００３１】
ＬＴＥ  ＵＬの将来のリリースは、２つの新たな重要特徴、すなわちＭＩＭＯ（多重入出力）（最大４つのＷＴＲＵ送信アンテナを有する）およびキャリア集約をサポートする見込みである。ある一定のサブフレームにおいて、多重キャリア内で、および／または多重送信アンテナからＳＲＳ送信を行うことも可能になる。ＳＲＳは、ＷＴＲＵアンテナポートごとに定義され得る。ただし、ＳＭ（空間多重化）ＭＩＭＯモードでは、ＳＲＳは、プリコーディングすることができ、層固有でよく、たとえば、４つのアンテナだが、ただ２つのアンテナポート（期待されるデータ送信の空間層ごとに１つずつ）から送信することができる。ＳＲＳ送信構成（ＳＲＳリソース割振り、ＳＲＳパラメータ、および電力設定を含む）が不適切に行われた場合、ＵＬ送信システム全体が、適切に機能しなくなり、送信仕様が満たされなくなる。
【００３２】
具体的には、サウンディング参照信号に対するオーバーヘッドは、送信アンテナの数が大きく（たとえば、最大４に）なると、特に懸案事項になる。したがって、低オーバーヘッドを招くＳＲＳ設計を行うことが望ましい。たとえば、ＳＲＳは、まばらに、また、好ましくは必要とされるときにのみ送信されることになる。さらに、好ましくは、オーバーヘッドは、オーバーヘッドの利益を受けるＷＴＲＵによってのみ経験され、おそらく、良好なスケジューラ柔軟性を許可するのに十分に動的である。
【００３３】
ＵＬ  ＭＩＭＯでは、所与のＷＴＲＵに対する直交ＳＲＳは、望ましいプロパティを有するが、おそらくは重いオーバーヘッドを伴う。非直交ＳＲＳも用いることができる。両方のタイプのＳＲＳが使われる場合、ＷＴＲＵは、その間を区別しなければならず、ＳＲＳタイプに依存して、異なる解釈／定義のＵＬ  ＣＳＩをもち得る。さらに、ＬＴＥ後方互換可能なサブフレーム／キャリア（複数可）中にＳＲＳが存在することになるので、サブフレーム（少なくともそのいくつか）をＳＲＳ送信に使うことは、リソース効率的であり得る。
【００３４】
ＰＵＣＣＨ上での制御シグナリングおよびＰＵＳＣＨ上でのデータの同時ＵＬ送信も、同じコンポーネントキャリア内で、同じサブフレームに入れて可能であり得る。ＰＵＳＣＨ、ＰＵＣＣＨ、およびＳＲＳを、同じサブフレーム中で送信させることが可能であり得る。この場合、チャネルの間で多重化規則が定義され得る。
【００３５】
以下のＳＲＳパラメータが、上位層によって半静的に構成可能なＷＴＲＵ固有として、ＬＴＥにおいて定義される。すなわち、ｉ）送信コンビ（ｔｒａｎｓｍｉｓｓｉｏｎ  ｃｏｍｂ）、ｉｉ）開始物理リソースブロック割当て、ｉｉｉ）ＳＲＳ送信の持続期間：一度または不定（不能にされるまで）、ｉｖ）周期性およびＳＲＳサブフレームオフセットに対するＳＲＳ構成索引ＩＳＲＳ、ｖ）ＳＲＳ帯域幅、ｖｉ）周波数ホッピング帯域幅ならびにｖｉｉ）循環シフトである。
【００３６】
送信アンテナ選択をサポートするＷＴＲＵに対してアンテナ選択が可能にされると、ＳＲＳを一度に送信するＷＴＲＵアンテナの索引が、時間索引、ホッピング可能／不能などを含むいくつかのパラメータに基づいて決定される。
【００３７】
ＭＩＭＯの場合、ＷＴＲＵ用のＳＲＳの数は、（ＷＴＲＵ固有）送信アンテナまたはアンテナポートの数と同程度である。別の実施形態では、ＳＲＳの数および／または送信アンテナ固有ＳＲＳパラメータは、上位層シグナリングまたはＬ１／２シグナリング（すなわち、ＰＤＣＣＨ中の）によって、セル内のＷＴＲＵごとまたはＷＴＲＵのグループごとに構成され得る。こうした数およびパラメータが、ＰＤＣＣＨ中でシグナリングされる場合、そのシグナリングをサポートするための新たなＤＣＩ形式が求められ得る。たとえば、多重アンテナを用いる非周期的ＳＲＳ送信を要求する（またはスケジュールする）ために、ＳＲＳ要求ビットを、ＰＤＣＣＨ中に含めることができる。このような構成は、アンテナ単位または層単位でＳＲＳ送信を関連づけ得る。
【００３８】
キャリア集約の場合、キャリアのうちどれの上でＳＲＳが送られるかの選択も、シグナリングされる必要がある。ＷＴＲＵは、その構成済みキャリアすべての上でＳＲＳを同時に送信することができる。別の実施形態では、ＷＴＲＵは、そのキャリアのサブセットの上で選択的に送信することができる。別の実施形態では、ＷＴＲＵは、一度に１つのキャリア上でのみ送信することができる。ＵＬキャリア固有ＳＲＳパラメータは、上位層シグナリングまたはＬ１／２シグナリング（すなわち、ＰＤＣＣＨ中の）によって、セル内のＷＴＲＵごとまたはＷＴＲＵのグループごとに構成することができる。また、サブバンドＳＲＳは、多重キャリアにわたって、またはキャリアごとに制御することができる。たとえば、ＵＬアンカキャリアは、広帯域ＳＲＳ送信を行うことができ、他の非アンカキャリアは、狭帯域ＳＲＳ送信を用いることができる。
【００３９】
さらに、ＬＴＥの将来のリリースとして、ＵＬは、コンポーネントキャリア内での非隣接リソース割振り（すなわち、クラスタベースのＤＦＴ−ＯＦＤＭＡ）をサポートすることができ、ＳＲＳリソース割振りは、周波数領域スケジューリングの対象となっている周波数帯、たとえば、より可能性のあるＳＲＳ帯域幅を少なくともカバーするのに十分に柔軟であるべきである。ダウンリンクシグナリング（たとえば、ＰＤＣＣＨ）も、ＳＲＳ送信用の新たなパラメータをサポートする必要があり得る。
【００４０】
ＳＲＳ向けの送信電力制御は基本的に、ＰＵＳＣＨの制御に従い、ＰO_PUSCH（ｊ）、ｆ（ｉ）、およびαを含む、ＳＲＳ用のいくつかの主要電力制御（ＰＣ）パラメータが、ＰＵＳＣＨ電力制御用のものと同じであるという意味において、ＳＲＳ送信の正確な帯域幅（ＢＷ）を補償する。現在のＬＴＥ標準の範囲外であるいくつかの問題が、対処されなければならない。こうした問題のいくつかについては、後で説明する。
【００４１】
将来のＬＴＥリリースが、サブフレーム中の同時ＰＵＳＣＨ／ＰＵＣＣＨをサポートし得ることを考慮に入れると、ＰＵＳＣＨの端部でＳＲＳがスケジュールされること、ならびにＳＲＳの必要電力およびＰＵＣＣＨの必要電力を合わせたものが、ＰMAXの値を超え得ることが可能であり得る。
【００４２】
ＵＬ  ＭＩＭＯ（たとえば、最大４つのアンテナ）を用いると、多重送信アンテナを介した同時ＳＲＳ送信が起きた場合、ＳＲＳの送信電力密度は、アンテナの数が増大するのに伴って低くなり、その結果、ｅＮｏｄｅＢでのチャネル推定値が低下し得る。ＰＵＳＣＨ送信用の様々なＭＩＭＯ選択肢（ＳＭ  ＭＩＭＯ、送信（Ｔｘ）ダイバーシティ、およびビーム形成（ＢＦ）／単一アンテナポート送信を含む）も存在し得る。多重アンテナを用いたＳＲＳ送信は、決定論的（または半静的）でもよい。その場合、たとえば、アンテナごとまたは層（おそらくプリコーディングされる）ごとのＳＲＳ送信に依存して、ＰＵＳＣＨ用の異なるＭＩＭＯ選択肢に対して異なるＰSRS_offset値が必要とされ得る。計算されたＳＲＳ電力が最大電力、すなわちＰMAXを超えるとき、適切なＷＴＲＵ手順が必要とされる。たとえば、送信アンテナドロッピング技術、ＳＲＳ帯域幅調整、多重アンテナを介したＳＲＳ電力削減などである。
【００４３】
周波数領域において、ＳＲＳ送信は、周波数領域スケジューリングにとって重要であるとともにサウンディング用に十分に広帯域である周波数帯をカバーするべきである。ただし、広帯域ＳＲＳ送信は、比較的低い受信電力密度につながる可能性があり、その結果、ｅＮｏｄｅＢでのチャネル品質推定値が低下し得る。これは、ＵＬ送信用に多重キャリアが集約して使われるＵＬキャリア集約においてははるかに有害となる。
【００４４】
ＵＬキャリア集約において、ＳＲＳ送信用の最大ＷＴＲＵ電力を、コンポーネントキャリアごとに定義することができる。以下の基本的オーバーヘッド削減および電力設定手法により、多重アンテナおよびキャリア集約を用いたＳＲＳ送信が可能になる。
【００４５】
ＳＲＳオーバーヘッド削減／管理技術を、ＵＬ  ＭＩＭＯおよび／またはキャリア集約において適用することができる。たとえば、ＳＲＳは、（時間および／または周波数領域において）まばらに、また、好ましくは必要とされるときにのみ送信され得る（すなわち、おそらくはｅＮＢからのＳＲＳ要求ビットをもつ非周期的またはスケジュールされたＳＲＳ送信）。さらに、好ましくは、オーバーヘッドは、オーバーヘッドの利益を受けるＷＴＲＵによってのみ経験され、おそらく、良好なスケジューラ柔軟性を許可するのに十分に動的である。
【００４６】
ＳＲＳは、ＷＴＲＵアンテナポート（たとえば、｛０，１，２，３｝）ごとに、および／またはＵＬキャリアごとに定義／構成することができる。ＳＭ  ＭＩＭＯモードでは、ＳＲＳは、層固有でよく、たとえば、４つのアンテナからだが、ただ２つのアンテナポート（期待されるデータ送信の空間層ごとに１つ）から送信することができる。ＵＬ（ＳＵ）−ＭＩＭＯでは、所与のＷＴＲＵ用の直交ＳＲＳは、望ましいプロパティをもつが、おそらくは重いオーバーヘッドを伴う。将来のＬＴＥリリースにおけるＳＲＳの直交性プロパティは、ＴＤＭ（時分割多重化）、ＦＤＭ（周波数分割多重化）、および／またはＣＤＭ（符号分割多重化）技術により実現され得る。たとえばＴＤＭ＋ＣＤＭ、ＴＤＭ＋ＦＤＭ、ＣＤＭ＋ＦＤＭなど、上記技術の２つ以上を組み合わせてもよいことが理解されよう。
【００４７】
ＣＤＭ実施形態では、異なる位相回転（すなわち、循環シフト）を用いて、多重送信アンテナ用の直交ＳＲＳを生成することができる。この場合、異なるアンテナに異なる循環シフトを割り当てることによって、多重送信アンテナからの同時ＳＲＳ送信を実施することができる。ただし、ＳＲＳは、直交性を維持するために、同じ周波数帯にわたるべきである。あるいは、直交符号化されたＳＲＳ（直交カバーコードを使う）が、ＵＬ  Ｔｘアンテナそれぞれから同時に送信される（多くのクラスの直交および擬似直交コードがここでは使われ得る）。異なる位相回転セットを、異なるＷＴＲＵに割り当てることができ、そうすることによって、異なるＷＴＲＵからのＳＲＳ送信も互いと直交になる。
【００４８】
ＦＤＭ実施形態では、異なるアンテナポート（または層）を介したＳＲＳ送信を、異なる周波数／時間リソースグリッドにおいて実施することができる。送信が、同一の周波数帯（またはＳＲＳ帯域幅）をカバーする必要はない。つまり、異なるＳＲＳ周波数帯域幅が、各アンテナポート（または層）向けに構成され得る。
【００４９】
上記ＦＤＭ実施形態は、以下のように実装され得る。インターレースＳＲＳが用いられ得る。本実施形態では、アンテナはそれぞれ、ＳＲＳ送信に割り当てられたトーン／サブキャリアのサブセット上でのみ送信を行う（たとえば、４つのＴｘアンテナをもつＷＴＲＵ用のすべてのトーンにおけるＰＵＳＣＨ領域全体にわたって送信するように構成されたＳＲＳの場合、アンテナ１から送信されるべき第１、第５、第９、．．．のトーン／サブキャリアが割り当てられ、アンテナ２から送信されるべき第２、第６、第１０、．．．のトーン／サブキャリアが割り当てられ、以下同様に続く）。アンテナ割当ては、サブフレーム番号（ＳＦＮ）依存でもよく、その結果、各アンテナに使われるトーンの循環（ホッピング）が起こることに留意されたい（たとえば、ＴＴＩ１で、アンテナ１はトーン１、５、９、．．．を使い、ＴＴＩ２では、アンテナ１はトーン２、６、１０を使う）。
【００５０】
ＴＤＭ実施形態では、ＷＴＲＵは、異なるサブフレームオフセットを使って、異なる送信アンテナからＳＲＳを送信する。この送信は、上位層によって構成され得る。あるいは、たとえば、ｍｏｄ（ｘ，Ｎｔ）＝ｎを満足する、ｎ＝０、１、２、．．．Ｎｔである、アンテナポートｎ（または層ｎ）用のＳＲＳが、ＳＲＳサブフレームｘに入れて送信される。あるいは、ＳＲＳ送信は、最後の２つのＳＣ−ＦＤＭＡまたはＤＦＴ拡散ＯＦＤＭＡシンボル（あるいは、所与のＳＲＳサブフレームにおける各スロット中の最終ＳＣ−ＦＤＭＡシンボル）において起こり得る。ＷＴＲＵの所で２つのＴｘアンテナが使われる場合、ＳＲＳ構成の１つでは、一方のアンテナ用のＳＲＳが最終シンボルに入れられて送信され、他方のアンテナ用のＳＲＳが第２の最終シンボルに入れられて送信される。ＷＴＲＵの所で４つのＴｘアンテナが使われる場合、ＳＲＳ構成の１つでは、２つのＴｘアンテナ用のＳＲＳが最終シンボルに入れられて送信され、他の２つのアンテナ用のＳＲＳが第２の最終シンボルに入れられて送信される。
【００５１】
後方互換性のために、単一送信アンテナのみをサポートするＷＴＲＵもサポートされなければならない。後方互換性は、所与のＳＲＳサブフレームにおける、単一アンテナポート（または層）を介した一度のＳＲＳ送信など、上述したＴＤＭ技術によって達成され得る。あるいは、従来のＷＴＲＵが、ＬＴＥで定義されたＳＲＳを送信し、将来のＬＴＥリリースＷＴＲＵが、ＬＴＥ後方互換可能なキャリア（複数可）内でＳＲＳを送信するように、従来のＬＴＥ  ＷＴＲＵが、ＭＩＭＯ技術を使用する将来のＬＴＥリリースＷＴＲＵと同時に動作してもよい。
【００５２】
ＷＴＲＵが、単一送信アンテナをサポートする場合、ＷＴＲＵは、ＳＲＳサブフレーム、ＳＲＳ周波数領域、他のＳＲＳパラメータなどを含む、ＬＴＥ向けと同じリソース割振りを共有することができる。ＷＴＲＵが多重送信アンテナをサポートする場合、ＷＴＲＵは、ＬＴＥ  ＳＲＳ用と同じＳＲＳサブフレームを使うことができるが、追加ＳＲＳリソース（ＳＲＳ帯域幅を含む）は、提案された上記多重化技術の１つにより共有され得る。たとえば、将来のＬＴＥリリースは、上記ＴＤＭ技術を用いて、ただしより頻繁に（２、４、６、８ミリ秒ごと、または１０ミリ秒ごとに）送信されるＳＲＳ（たとえば、一度に１つのＳＲＳ）を実現することができる。たとえば、４つのアンテナポートを介し、ＳＲＳ周期が１０ミリ秒のＳＲＳ送信のケースでは、（４つ全部のＳＲＳを送信するための）ＳＲＳサイクル時間は、４０ミリ秒である。
【００５３】
キャリアサブセットＳＲＳ送信技術が、用いられ得る。キャリアサブセットＳＲＳ送信シナリオでは、ＵＬキャリアのサブセットのみが、アンテナポート用のＳＲＳを、所与の時間間隔（たとえば、送信時間間隔（ＴＴＩ）、フレーム、サブフレームなど）に、送信を行う。サブセットのサイクルは、指定された周期中の全ＵＬキャリアをカバーするべきである。たとえば、５つのＵＬキャリアがあると仮定する。サブセットサイクルＡは、ＳＲＳサブフレーム中に以下のキャリアサブセットを送信中である場合がある。
【００５４】
［Ｃａｒｒｉｅｒ１Ｕ，Ｃａｒｒｉｅｒ２Ｕ］、［Ｃａｒｒｉｅｒ３Ｕ，Ｃａｒｒｉｅｒ４Ｕ］、Ｃａｒｒｉｅｒ５Ｕ，Ｃａｒｒｉｅｒ１Ｕ］、［Ｃａｒｒｉｅｒ２Ｕ，Ｃａｒｒｉｅｒ３Ｕ］および［Ｃａｒｒｉｅｒ４Ｕ，Ｃａｒｒｉｅｒ５Ｕ］。
【００５５】
サブセットサイクルＢは、以下のようになり得る。
【００５６】
［Ｃａｒｒｉｅｒ１Ｕ，Ｃａｒｒｉｅｒ２Ｕ，Ｃａｒｒｉｅｒ３Ｕ］、［Ｃａｒｒｉｅｒ４Ｕ，Ｃａｒｒｉｅｒ５Ｕ，Ｃａｒｒｉｅｒ１Ｕ］、［Ｃａｒｒｉｅｒ２Ｕ，Ｃａｒｒｉｅｒ３Ｕ，Ｃａｒｒｉｅｒ４Ｕ］、［Ｃａｒｒｉｅｒ５Ｕ，Ｃａｒｒｉｅｒ１Ｕ，Ｃａｒｒｉｅｒ２Ｕ］および［Ｃａｒｒｉｅｒ３Ｕ，Ｃａｒｒｉｅｒ４Ｕ，Ｃａｒｒｉｅｒ５Ｕ］。
【００５７】
他のサイクル／サブセットも使うことができる。サイクルおよびサブセットは、所定でも、構成可能でも、シグナリングすることもできる。
【００５８】
サブセットオーバーラップを伴うキャリアサブセットＳＲＳ送信も、利用することができる。サブセットオーバーラップシナリオを伴うキャリアサブセットＳＲＳ送信では、ＵＬキャリアのサブセットのみが、アンテナポート用のＳＲＳを、所与の時間間隔（たとえば、送信時間間隔（ＴＴＩ）、フレーム、サブフレームなど）に、送信する。キャリアサブセットは、互いとオーバーラップし得る。サブセットオーバーラップを用いて、サブセットの間でオーバーラップされるキャリアを増強させることができる。サブセットのサイクルは、指定された周期中の全ＵＬキャリアをカバーするべきである。たとえば、５つのＵＬキャリアがあると仮定する。サブセットサイクルＡは、以下のようになり得る。
【００５９】
［Ｃａｒｒｉｅｒ１Ｕ，Ｃａｒｒｉｅｒ２Ｕ］、［Ｃａｒｒｉｅｒ２Ｕ，Ｃａｒｒｉｅｒ３Ｕ］、［Ｃａｒｒｉｅｒ３Ｕ，Ｃａｒｒｉｅｒ４Ｕ］および［Ｃａｒｒｉｅｒ４Ｕ，Ｃａｒｒｉｅｒ５Ｕ］。
【００６０】
サブセットサイクルＢは、以下のようになり得る。
【００６１】
［Ｃａｒｒｉｅｒ１Ｕ，Ｃａｒｒｉｅｒ２Ｕ，Ｃａｒｒｉｅｒ３Ｕ］、［Ｃａｒｒｉｅｒ３Ｕ，Ｃａｒｒｉｅｒ４Ｕ，Ｃａｒｒｉｅｒ５Ｕ］。
【００６２】
他のサイクル／サブセット／オーバーラップも、用いることができる。サイクル／サブセット／オーバーラップは、所定でも、構成可能でも、シグナリングすることもできる。
【００６３】
サブセットオーバーラップあり／なしの混成キャリアサブセット／全体セットＳＲＳ送信も、用いることができる。このような混成シナリオでは、第１のＳＲＳサブフレームセット（ＳＲＳサブフレームＡと言う）中で、全ＵＬキャリアが、アンテナポート用のＳＲＳを送信し、第２のＳＲＳサブフレームセット（ＳＲＳサブフレームＢと言う）中で、ＵＬキャリアのサブセットのみが、アンテナポート用のＳＲＳを送信する。キャリアサブセットは、互いとオーバーラップする場合も、しない場合もある。ＳＲＳサブフレームＢ中でＳＲＳを送信するキャリアサブセットのサイクルは、指定された周期中の全ＵＬキャリアをカバーするべきである。たとえば、５つのＵＬキャリアがあると仮定する。ＳＲＳサブフレームＡは、以下のようになり得る。
【００６４】
［全キャリア用のＳＲＳを送信］、［Ｃａｒｒｉｅｒ１Ｕ］、［Ｃａｒｒｉｅｒ２Ｕ］、［Ｃａｒｒｉｅｒ３Ｕ］、［Ｃａｒｒｉｅｒ４Ｕ］および［Ｃａｒｒｉｅｒ５Ｕ］。
【００６５】
ＳＲＳサブフレームＢは、以下のようになり得る。
【００６６】
Ｃａｒｒｉｅｒ１Ｕ、Ｃａｒｒｉｅｒ２Ｕ、Ｃａｒｒｉｅｒ３Ｕ、Ｃａｒｒｉｅｒ４ＵおよびＣａｒｒｉｅｒ５Ｕのキャリアサブセット用のＳＲＳを送信。
【００６７】
ＳＲＳサブフレームＡは、全キャリアもしくはキャリアのサブセット用および／または全アンテナ／アンテナポート／層もしくはアンテナ／アンテナポート／層のサブセットからのＳＲＳ送信に関する完全な情報（たとえば、チャネル状態情報（ＣＳＩ））を取得するのに使うことができる。ＳＲＳサブフレームＡは、たとえば、全キャリアに関する完全な情報を取得する際にキャリアサブセットＳＲＳ送信に遅延が生じるとき、特殊な目的に役立ち得る。ＳＲＳサブフレームＡは周期的でよく、その周期性は構成可能でよい。ＳＲＳサブフレームＡは、Ｎ個のサブフレームごとに送信することができる。ＳＲＳサブフレームＡは、非周期的でもよい。ＳＲＳは、ＳＲＳ非周期性要求に基づいて送信することができる。このような非周期性要求は、Ｌ１制御チャネル（たとえば、ＰＤＣＣＨ）、または上位層シグナリング（たとえば、無線リソースコントローラ（ＲＲＣ）シグナリング）によってトリガされ得る。
【００６８】
あるいは、非直交ＳＲＳも検討することができる。両方のタイプのＳＲＳが構成される場合、ＷＴＲＵは、両方のタイプを区別することができ、おそらくは、ＳＲＳタイプに依存して、ＵＬ  ＣＳＩの異なる解釈／定義をもつ必要がある。
【００６９】
混合ＬＴＥリリースシナリオにおけるＳＲＳ送信の場合、ＬＴＥ  ＷＴＲＵとの後方互換性を維持するために、同じパラメータが、将来のＬＴＥリリースＷＴＲＵに対して構成され得る。さらに、ＬＴＥ  ＳＲＳ手順が、ＷＴＲＵにも適用される。ただし、所与のサブフレーム中で、ＷＴＲＵが多重アンテナ（またはアンテナポート）を介して送信することができる同時ＳＲＳの数は、Ｎ（たとえば、Ｎ＝２）に限定される。アンテナの数が、許容限界、すなわちＮより大きい場合、異なるアンテナからのＳＲＳは、ＴＤＭ（たとえば、異なるサブフレーム）でよい。
【００７０】
純粋な将来のＬＴＥリリースシナリオにおけるＳＲＳ送信の場合、多重アンテナからのＳＲＳを、上で言及した多重化技術を用いて多重化することができる。
【００７１】
ＳＲＳ送信は、多重キャリアシナリオにおいても起こり得る。ＤＬ信号オーバーヘッドの観点から、サブフレームオフセット、ＳＲＳ送信周期性、ＳＲＳ帯域幅などを含む、ＳＲＳパラメータの共通セットは、割り当てられたＵＬキャリアすべてに適用することができる。ただし、ＳＲＳを同時に搬送するＵＬキャリアの数が増大するのに伴い、各キャリア向けのＳＲＳ送信電力密度が低くなり、その結果、ＵＬチャネル品質推定が低下し得る。したがって、多重キャリアを介した同時ＳＲＳ送信の数は、ＳＲＳ用に利用可能なＷＴＲＵ送信電力（たとえば、電力ヘッドルーム）に基づいて決定すればよい。あるいは、ＳＲＳパラメータは、個々のキャリア向けに構成することができる。この場合、あるキャリア向けのいくつかのパラメータは、他のキャリア（複数可）向けに構成されたＳＲＳパラメータから暗黙的に決定することができる。
【００７２】
ＬＴＥでは、ＳＲＳおよびＰＵＣＣＨフォーマット２／２ａ／２ｂ送信が偶然、同じサブフレーム中で同時に起こるときは常に、ＷＴＲＵはＳＲＳを送信しない。ただし、マルチキャリア送信では、キャリア（複数可）がそのときにＰＵＣＣＨを搬送しない場合、ＷＴＲＵは、他のキャリア（複数可）を介して同じサブフレーム中でＳＲＳを送信し得る。
【００７３】
ＵＬアンカキャリアは、ＰＵＣＣＨを送信するのに使われ得る。本実施形態では、全ＰＵＣＣＨを、１つのＵＬキャリア内で送信することができるが、他のＵＬキャリア内では送信することはできない。たとえば、ＵＥ固有ＵＬ  ＣＣが、全ＰＵＣＣＨを搬送するために半静的に構成される。ＳＲＳは、同じサブフレームの中で他のＵＬキャリアにおいて送信することができるが、ＰＵＣＣＨを搬送するＵＬアンカキャリア（またはＵＥ固有ＵＬキャリア）内では送信されない。たとえば、アンカキャリアが、Ｃａｒｒｉｅｒ１Ｕと記される場合、非アンカキャリアは、Ｃａｒｒｉｅｒ２Ｕ、Ｃａｒｒｉｅｒ３Ｕ、Ｃａｒｒｉｅｒ４ＵおよびＣａｒｒｉｅｒ５Ｕと記される。ＰＵＣＣＨは、通常のＣＰ用のフォーマット２／２ａ（または拡張ＣＰ用のフォーマット２ｂ）を使って、Ｃａｒｒｉｅｒ１Ｕ内で送信される。ＳＲＳは、同じサブフレームの中で、非アンカキャリア、すなわちＣａｒｒｉｅｒ２Ｕ、Ｃａｒｒｉｅｒ３Ｕ、Ｃａｒｒｉｅｒ４ＵおよびＣａｒｒｉｅｒ５Ｕにおいて送信される。あるいは、ＳＲＳおよびＰＵＣＣＨフォーマット２／２ａ／２ｂ送信が偶然、ＵＬキャリア上で同じサブフレーム中に同時に起こる場合、ＷＴＲＵは、対応するＵＣＩビットを、ＵＬキャリア上のＰＵＳＣＨに乗せて送信することができる（すなわち、ＰＵＳＣＨ上でのＲｅｌ８  ＵＣＩ送信へのフォールバック）。
【００７４】
複数のＵＬアンカキャリアを使うことができる。本実施形態では、ＰＵＣＣＨは、２つ以上のＵＬアンカキャリア内で送信することができ、ＰＵＣＣＨ  フォーマット２／２ａ／２ｂが使われる場合、ＳＲＳは、同時に非アンカキャリア内で送信することができる。たとえば、アンカキャリアがＣａｒｒｉｅｒ１ＵおよびＣａｒｒｉｅｒ２Ｕと記される場合、非アンカキャリアは、Ｃａｒｒｉｅｒ３Ｕ、Ｃａｒｒｉｅｒ４ＵおよびＣａｒｒｉｅｒ５Ｕと記される。ＰＵＣＣＨは、通常のサイクリックプレフィックス（ＣＰ）用のフォーマット２／２ａ（または拡張ＣＰ用のフォーマット２ｂ）を使って、Ｃａｒｒｉｅｒ１ＵおよびＣａｒｒｉｅｒ２Ｕ内で送信される。ＳＲＳは、同じサブフレーム中で、非アンカキャリア、すなわちＣａｒｒｉｅｒ３Ｕ、Ｃａｒｒｉｅｒ４ＵおよびＣａｒｒｉｅｒ５Ｕ内で送信される。
【００７５】
ＵＬスケジューリング割当て（ＳＡ）において「ＳＲＳアクティブ化」フィールドを導入し、次いで、ＵＬ  ＳＡを使ってＵＬコンポーネントキャリア内で新たなＳＲＳ送信を構成し、または既存のＳＲＳ送信を再構成することによって、ＳＲＳオーバーヘッドを削減することができる。ＳＲＳがどのように多重送信アンテナおよび／または多重コンポーネントキャリアにマップされるかに対処するために、追加詳細が必要とされる。
【００７６】
一実施形態では、キャリア固有ＳＲＳマッピング／構成を用いることができる。このようなキャリア固有ＳＲＳマッピングは、動的にも、半静的にも構成され得る。たとえば、各ＵＬコンポーネントキャリアは、異なるＳＲＳパラメータを有し得る。たとえば、ＰＵＳＣＨがその上でスケジュールされているＵＬコンポーネントキャリアは、非アクティブＵＬコンポーネントキャリアより短いＳＲＳ周期性および／またはより広いＳＲＳ帯域幅を有し得る。
【００７７】
別の実施形態では、ＵＬ  ＭＩＭＯ（送信）モード依存のＳＲＳ送信を用いることができる。ＵＬ  ＭＩＭＯモード（Ｔｘダイバーシティまたはビーム形成または単一アンテナポート送信モードと、それに対抗するＳＭ  ＭＩＭＯのような）に依存して、ＳＲＳ送信方式（たとえば、ＳＲＳパラメータ）は、ＳＲＳ信号オーバーヘッドを維持するように変化する。たとえば、非ＳＭ  ＭＩＭＯ、たとえば、単一アンテナポート送信モードのケースでは、単一アンテナポート送信に使われるアンテナ（複数可）（またはアンテナポート）からのＳＲＳ送信が、使用されていないアンテナ（複数可）（またはアンテナポート（複数可））ＳＲＳ送信より頻繁に、および／またはより広く起こるように、ＷＴＲＵは、多重アンテナ用の異なるＳＲＳパラメータをもつように構成される。
【００７８】
別の実施形態では、上位層による、事前構成されたＳＲＳマッピングを用いることができる。この場合、ｅＮＢは単に、どの構成が使われるべきかをシグナリングする。
【００７９】
いくつかの変形形態が用いられ得る（ほとんどはＷＴＲＵ固有）。このような手法は、静的、半静的、または動的でよい。一部は、スケジュールされても、イベント駆動でもよい。各手法ごとに、後で詳しく論じるように、低ＳＲＳオーバーヘッドや低ＳＲＳ制御シグナリングオーバーヘッドなど、異なる利点がある。
【００８０】
ＷＴＲＵ用のＳＲＳの数は、（ＷＴＲＵ固有）送信アンテナまたはアンテナポートの数に等しい。あるいは、ＳＲＳの数は、上位層シグナリングまたはＬ１／２シグナリング（すなわち、ＰＤＣＣＨ中）によって、セル内のＷＴＲＵごと、またはＷＴＲＵのグループごとに構成され得る。ＰＤＣＣＨに入れてシグナリングされる場合、シグナリングをサポートするための新たなＤＣＩフォーマットが求められ得る。コンポーネントキャリア内部での非隣接リソース割振り（すなわち、クラスタベースのＤＦＴ−ＯＦＤＭＡ）をサポートするために、ＳＲＳ送信が、周波数領域内の広帯域（少なくとも、周波数領域スケジューリングの対象となっている周波数帯）をカバーすることが好ましい。
【００８１】
静的または半静的ＳＲＳスケジューリングを用いることができる。ＷＴＲＵ送信アンテナの数および／またはＷＴＲＵカテゴリに依存して、ＳＲＳ送信スケジューリングが決定され、上位層シグナリングによりＷＴＲＵにシグナリングされる。あるいは、動的ＳＲＳスケジューリング（すなわち、非周期的ＳＲＳ送信）が、Ｌ１シグナリング（すなわち、ＰＤＣＣＨ）を介して用いられ得る。
【００８２】
周期的ＳＲＳ送信の場合、ＳＲＳ周期性は、構成可能であり、上位層からシグナリングされ得る。周期性は、ＷＴＲＵ送信アンテナ（またはアンテナポートもしくは層）の数の関数でよい。異なるアンテナ（またはアンテナポート）からのＳＲＳは、異なる周期性を有し得る。ＳＲＳの場所（すなわち、サブフレームオフセット）は、構成可能であり、上位層からシグナリングされ得る。異なるアンテナ（またはアンテナポート）からのＳＲＳは、異なるサブフレームオフセットを有し得る。あるアンテナからのＳＲＳの場所は、他のアンテナ（複数可）の場所から、暗黙的に判定され得る。狭いＳＲＳ帯域幅が使われる場合、周波数ホッピング技術が適用され得る。各アンテナは、異なるホッピングパターンを有し得る。
【００８３】
ＵＬキャリア集約では、各キャリア用のＳＲＳパラメータは、別々に（すなわち、キャリア固有ＳＲＳパラメータ）またはまとめて（たとえば、全（またはそのサブセット）キャリア用の共通パラメータ、構成／シグナリングすることができる。ＳＲＳは、非周期性要求によってトリガされ、または周期的送信のためにスケジュールされ得る。一実施形態では、ＰＤＣＣＨ中に１ビット（たとえば、ＵＬグラント）が、非周期的ＳＲＳ送信に対する「ＳＲＳ要求」ビットとして挿入される。ＰＤＣＣＨ中で搬送される非周期的ＳＲＳ要求（たとえば、ＵＬグラント）は、多重送信アンテナからの、および／または多重ＵＬキャリア用のＳＲＳ送信をトリガするのに用いられ得る。別の実施形態では、既存のＰＤＣＣＨ中のコードポイント（たとえば、ＵＬグラント）が、非周期的ＳＲＳ送信を求める「ＳＲＳ要求」として使われる。
【００８４】
多重ＵＬキャリア用のＳＲＳをトリガする、可能な２つの方法がある。ある特定のＵＬキャリア用のＵＬグラントを搬送する（非周期的ＳＲＳ要求を搬送する）ＰＤＣＣＨが、その特定のＵＬキャリア用のＳＲＳ送信をトリガするのに使われることになる。たとえば、その特定のＵＬキャリア用の非周期的ＳＲＳ送信を要求するために、ＳＲＳ要求ビット（他のＳＲＳパラメータがあってもよい）が、ＰＤＣＣＨ中に含められ得る。あるいは、ある特定のＵＬキャリア用のＵＬグラントを搬送する（非周期的ＳＲＳ要求を搬送する）ＰＤＣＣＨが、すべてまたはいくつかのＵＬキャリア用のＳＲＳ送信をトリガするのに使われることになる（上位層シグナリングにおいて事前構成される）。
【００８５】
ＳＲＳは、測定またはＮＡＣＫ閾値によってトリガされ得る。ＷＴＲＵが、事前構成されたＳＲＳ割振りを有する場合、ＷＴＲＵは、一定の条件が満たされない限り、ＳＲＳを送らない。このような条件は、ｉ）経路損失変化閾値より大きい経路損失変化、ｉｉ）ＮＡＣＫの数が、ＮＡＣＫ閾値（たとえば、％および／または移動平均）を超える、ｉｉｉ）閾値（たとえば、ｄＢで指定される）を越えるだけのＵＬ電力制御変化、を含み得る。
【００８６】
測定は、ｅＮｏｄｅＢの所で実施することができ、ＳＲＳは、測定に基づいてトリガすることができる。ＳＲＳ送信がトリガされると、このような情報はＷＴＲＵに送ることができ、そうすることによってＷＴＲＵは、それに従ってＳＲＳを送信することができる。ＳＲＳ送信がトリガではない場合、情報は、やはりＷＴＲＵに送ることができ、ＷＴＲＵは、ＳＲＳ用に確保されたリソースを、他の情報（たとえば、データ、制御など）を送信するのに再利用することができる。
【００８７】
ＬＴＥでは、サブフレームｉにおいて送信されるＳＲＳ用のＷＴＲＵ送信電力、すなわちＰSRSの設定は、
ＰSRS（ｉ）＝ｍｉｎ｛ＰMAX，ＰSRS_OFFSET＋１０ｌｏｇ10（ＭSRS）＋ＰO_PUSCH（ｊ）＋α・ＰＬ（ｋ）＋ｆ（ｉ）｝［ｄＢｍ］  式４
によって定義される。
【００８８】
ＬＴＥ  ＵＬ電力制御は、ただ１つのキャリアおよび１つの送信アンテナに限定される（ＵＬにおけるＳＵ−ＭＩＭＯなし）。将来のＬＴＥリリースでは、キャリア集約およびＵＬ  ＳＵ−ＭＩＭＯが用いられる予定である。ＳＲＳ電力制御の新たな仕様が必要とされる。
【００８９】
一実施形態では、ＵＬキャリア集約は、単一送信アンテナを用いて実施され得る。この例では、ＳＲＳが送られるのと同じＳＣ−ＦＤＭＡシンボル（すなわち、ＳＲＳが存在する場合のサブフレームの最終シンボル）に入れて同時に送信されるＰＵＳＣＨもＰＵＣＣＨもないことも想定される。
【００９０】
概して、ＷＴＲＵは、所与のコンポーネントキャリアに関する無制約ＳＲＳ電力レベルを判定することになる。ＷＴＲＵは、無制約ＳＲＳ電力レベルと、コンポーネントキャリアに基づく最大電力レベルとの低い方を、コンポーネントキャリアに関する制約ＳＲＳ電力レベルとして選択することになる。コンポーネントキャリアに関するＳＲＳ送信電力レベルは、制約ＳＲＳ電力レベルに設定される。
【００９１】
このシナリオでは、ＳＲＳは、ＵＬキャリア集約をサポートするモードで構成されたＷＴＲＵによって、多重コンポーネントキャリアを介して同時に送信される。ＳＲＳ電力制御のために、可能な２つの選択肢がある。１つは、コンポーネントキャリア固有電力制御用であり、もう１つは、キャリア共通電力制御用である。コンポーネントキャリア固有電力制御では、ＬＴＥ  ＳＲＳ  ＰＣ公式は、ＵＬキャリア集約まで拡張され、パラメータの一部を、以下のようにキャリア固有にさせる。
ＰSRS（ｉ，ｋ）＝ｍｉｎ｛ＰMAX（ｋ），ＰSRS_OFFSET（ｋ）＋１０ｌｏｇ10（ＭSRS（ｋ））＋ＰO_PUSCH（ｊ，ｋ）＋α（ｋ）・ＰＬ（ｋ）＋ｆ（ｉ，ｋ）｝  式５
上式で、ｋは、キャリア索引である。
【００９２】
Ｐｍａｘ（ｋ）は、コンポーネントキャリア固有パラメータでよく、第ｋのコンポーネントキャリア用、特に、コンポーネントキャリア（ＣＣ）（またはＣＣのサブセット）ごとの１つの電力増幅器（ＰＡ）用の最大電力を表す。この場合、合計最大ＷＴＲＵ送信電力は、複数のＰＡの間で等しく分散され得る。つまり、Ｐｍａｘ（ｋ）（ｄＢ）＝Ｐｍａｘ−１０＊ｌｏｇ１０（Ｎｐａ）となり、ここでＮｐａは、ＷＴＲＵ内のアクティブなＰＡの数である。全キャリアに対してただ１つのＰＡしかない場合、Ｐｍａｘ（ｋ）は、合計最大ＷＴＲＵ送信電力、すなわちＰｍａｘに等しくなり得る。このケースにおいて、ＵＬキャリアすべてに対する必要送信電力の合計が、Ｐｍａｘより大きい場合、当該分野において公知である電力削減技術のいくつかを用いることができる。たとえば、個々のキャリアＳＲＳ用の送信電力は、最大電力制約を満たすように、均一に削減され得る。あるいは、個々のキャリアＳＲＳ用の送信電力は、最大電力制約を満たすように、相対的に（たとえば、個々のＳＲＳ電力に比例して）削減され得る。あるいは、ＳＲＳ送信の１つまたはいくつか、たとえば、非アンカキャリア内のＳＲＳがドロップされ得る）。どのＳＲＳ送信が（コンポーネントキャリア（ＣＣ）単位および／またはサブバンド単位で）送信され、どれがドロップされるかの判定に、追加基準を用いることができる。こうした基準は、以下に基づき得る。すなわち、１）ＳＲＳ送信の所定の（構成された）優先権、２）以前のＳＲＳ送信の履歴、たとえば限られた数のスケジュールされた、または要求されたＳＲＳ  ＣＣおよび／またはサブバンドだけがサポートされ得るとき、ＷＴＲＵは、構成された全ＳＲＳが送信されるまで、各ＳＲＳ送信機会で送信されるべき、構成済みＳＲＳを周期的に繰り返し、ＷＴＲＵは次いで、第１のＳＲＳ送信に逆循環する、３）ＷＴＲＵは、どのＣＣ（複数可）および／またはサブバンド（複数可）を最も好ましいと見なすか選択することができ、こうした帯域内で、利用可能な電力の限界までＳＲＳを送信する。ドロッピング技術に加え、ＷＴＲＵは、均一でないＳＲＳ電力スケーリングも実装することができる。均一でないＳＲＳ電力スケーリングも、上記基準に基づき得る。
【００９３】
ＰSRS_OFFSET（ｋ）は、コンポーネントキャリア固有ＳＲＳオフセットである。ＰSRS_OFFSET（ｋ）は、上位層によって与えられる。信号オーバーヘッドを削減するために、各ＵＬコンポーネントキャリア用のＰSRS_OFFSET（ｋ）の絶対値をシグナリングするのではなく、ネットワーク（ｅＮｏｄｅＢ）は、アンカキャリア用にはＰSRS_OFFSETの実効値のみを、ただし非アンカキャリア（複数可）用には信号相対値をシグナリングすればよく、この値は、アンカキャリア用の値と相対的である。あるいは、ＰSRS_OFFSET（ｋ）は、すべてのｋに関してＰSRS_OFFSET（ｋ）＝ＰSRS_OFFSETなど、キャリア共通パラメータでよい。
【００９４】
異なるキャリア上に異なるＳＲＳ帯域幅があってよく（ただし、アンテナごとの可能性は非常に低い）、したがって、キャリアごとの新たなＭSRS、すなわちＭSRS（ｋ）が、定義される必要がある。
【００９５】
ＰO_PUSCH（ｊ，ｋ）は、（この場合、第ｋのキャリア用の）キャリア固有開ループパラメータである。これは、異なるキャリア用の異なるターゲット（たとえば、ＳＩＮＲ）を取り扱うためのものである。特に、ＰO_PUSCHは、セル固有名目パラメータ、すなわちＰO_NOMINAL_PUSCHと、ＷＴＲＵ固有コンポーネント、すなわちＰO_UE_PUSCHとの合計からなるので、セル固有パラメータ、すなわちＰO_NOMINAL_PUSCHは、キャリアすべてに共通するはずであり、異なるターゲットを、ＰO_UE_PUSCH（ｊ，ｋ）中に反映することができる。あるいは、キャリアすべてに共通のＰO_UE_PUSCHを有するとともに、異なるターゲットを、ＰO_NOMINAL_PUSCH（ｊ，ｋ）中に反映することができる。あるいは、ＰO_PUSCH（ｊ、ｋ）は、キャリアすべてに共通でよい。この場合、ＰO_PUSCH（ｊ，ｋ）＝ＰO_PUSCH（ｊ）である。
【００９６】
経路損失補償係数、すなわちＰＬ（ｋ）、およびフラクショナルＰＬ率、すなわちα（ｋ）は、キャリア固有でもよく、ＰＬ（ｋ）は、ＷＴＲＵの所で決定され、すべてのｋに対するα（ｋ）は、上位層シグナリングによって与えられる。あるいは、α（ｋ）は、全キャリアに共通でよい。
【００９７】
上述したように、ＷＴＲＵは、単一コンポーネントキャリア（Ｋｐ）上で測定を実施し、他のキャリアに関する経路損失を、ネットワークからシグナリングされるキャリア固有オフセットを使って、ＰＬ（ｋ）＝ＰＬ（Ｋｐ）＋ΔPL（ｋ）のように導出することができる。ただし、これには、ΔPL（ｋ）に関する新たな上位層シグナリングの導入が求められる。そうではなく、キャリア固有経路損失オフセットは、ＰO_PUSCH中のＰO_UE_PUSCHに吸収すればよい。この場合、それに従って、ＰO_UE_PUSCHの範囲が変えられる必要があり、同じＰＬ（ｋ）（すなわち、ＰＬ（ｋ）＝ＰＬ）が、全キャリアに対して使われ得る。この考え方は、ＰＵＳＣＨおよびＰＵＣＣＨ用のＰＣにも適用され得る。
【００９８】
ｆ（ｉ，ｋ）は、閉ループＰＵＳＣＨ電力調整関数、すなわち、第ｋのキャリアに関するｆである。これは、ＰＵＳＣＨ用のＴＰＣコマンドが、キャリア固有であると想定されることを含意する。第ｋのキャリアが、次のＳＲＳサブフレーム中でＳＲＳを送信させるが、（以前のＰＵＳＣＨ送信がないせいで）キャリア内に利用可能なｆ（ｉ，ｋ）がない場合、複合ｆ（ｉ）を、ｆ（ｉ，ｋ）用に使えばよく、複合ｆ（ｉ）は、ｎ≠ｋである他のｆ（ｉ，ｎ）を組み合わせることによって決定される。あるいは、ｆ（ｉ，ｋ）は、ＷＴＲＵ用の全キャリアに共通でよい。つまり、すべてのｋに関してｆ（ｉ，ｋ）をすべて組み合わせることによって、ｆ（ｉ，ｋ）＝ｆ（ｉ）である。たとえば、
【００９９】
【数１】
0005555763.tif 000003
【０１００】
であり、上式で、Ｎは、ＷＴＲＵに割り当てられたＵＬキャリアの数である。この選択肢は、異なるキャリアが、異なるチャネル条件を経る傾向にある非隣接キャリア集約を伴うケースにおいて好ましい。
【０１０１】
図３は、コンポーネントキャリア固有ＳＲＳ電力制御を示す基本的フローチャートである。本明細書で開示する基本的フローチャートは、例示に過ぎないことが理解されよう。たとえば、他のプログラム入口および出口点、タイムアウト関数、誤り検査ルーチンなど（図示せず）が普通は、ソフトウェア／ハードウェアで実装されることになる。このようなハードウェア／ソフトウェアは、継続して稼働するように実装され得ることも理解されよう。したがって、開始ブロックおよび終了ブロックは、メインプログラム、ライブラリなどに統合されるとともに必要に応じて実行され得るコードの部分の論理的開始および終了点を示すことが意図される。この例では、各コンポーネントキャリアに対する無制約ＳＲＳ電力レベル（たとえば、Ｐｍａｘ（ｋ））が、ブロック１０２で示すように決定される。各コンポーネントキャリアに対する制約ＳＲＳ電力レベルは、ブロック１０４で示すように、無制約ＳＲＳ電力レベルと、コンポーネントキャリアに基づく最大電力レベルとの低い方に設定される。上述したように、コンポーネントキャリアに基づく最大電力レベルは、ｉ）ブロック１１０で示すコンポーネントキャリア固有ＳＲＳ電力オフセット、ｉｉ）ブロック１１２で示すコンポーネントキャリア固有ＳＲＳ帯域幅パラメータ、ｉｉｉ）ブロック１１４で示すコンポーネントキャリア固有開ループ電力パラメータ、ｉｖ）ブロック１１６で示すコンポーネントキャリア固有経路損失補償係数、またはｖ）ブロック１１８で示すコンポーネントキャリア固有閉ループ電力調整関数の少なくとも１つに基づくキャリア固有電力レベルでよい。各コンポーネントキャリアに対するＳＲＳ送信電力レベルは、ブロック１０６で示すように、選択された制約ＳＲＳ電力レベルに設定される。
【０１０２】
ＳＲＳ向けのキャリア共通電力制御も、用いることができる。この制御は、ＳＲＳ  ＰＣ関連パラメータ信号オーバーヘッドを削減し得る。共通送信電力は、以下のように、キャリアすべてに使われ得る。
ＰSRS（ｉ）＝ｍｉｎ｛ＰMAX，ＰSRS_OFFSET＋１０ｌｏｇ10（ＭSRS）＋ＰO_PUSCH（ｊ）＋α・ＰＬ＋ｆ（ｉ）｝  式７
上式で、ＰSRS_OFFSET、ＭSRS、ＰＬ、ｆ（ｉ）はそれぞれ、ＵＬキャリアすべてにわたってそれぞれが組み合わされるキャリア共通パラメータを表す。たとえば、
【０１０３】
【数２】
0005555763.tif 000004
【０１０４】
であり、上式で、Ｎは、ＷＴＲＵに割り当てられたＵＬキャリアの数である。
【０１０５】
ＵＬキャリアすべてに対する必要送信電力の合計がＰｍａｘを超えるとき、電力削減技術が用いられ得る。たとえば、個々のキャリアＳＲＳ用の送信電力は、最大電力制約を満たすように、均一に削減され得る。あるいは、個々のキャリアＳＲＳ用の送信電力は、最大電力制約を満たすように、相対的に（たとえば、個々のＳＲＳ電力に比例して）削減され得る。あるいは、ＳＲＳ送信の１つまたはいくつか、たとえば、非アンカキャリア内のＳＲＳがドロップされ得る）。どのＳＲＳ送信が（コンポーネントキャリア（ＣＣ）単位および／またはサブバンド単位で）送信され、どれがドロップされるかの判定に、追加基準を用いることができる。こうした基準は、以下に基づき得る。すなわち、１）ＳＲＳ送信の所定の（構成された）優先権、２）以前のＳＲＳ送信の履歴、たとえば限られた数のスケジュールされた、または要求されたＳＲＳ  ＣＣおよび／またはサブバンドだけがサポートされ得るとき、ＷＴＲＵは、構成された全ＳＲＳが送信されるまで、各ＳＲＳ送信機会で送信されるべき、構成済みＳＲＳを周期的に繰り返し、ＷＴＲＵは次いで、第１のＳＲＳ送信に逆循環する、３）ＷＴＲＵは、最も好ましいと見なすＣＣ（複数可）および／またはサブバンド（複数可）を選択することができ、こうした帯域内で、利用可能な電力の限界までＳＲＳを送信する。ドロッピング技術に加え、ＷＴＲＵは、均一でないＳＲＳ電力スケーリングも実装することができる。均一でないＳＲＳ電力スケーリングも、上記基準に基づき得る。
【０１０６】
図４は、キャリア共通ＳＲＳ電力制御を示す基本的フローチャートである。この例では、全コンポーネントキャリアに対する無制約ＳＲＳ電力レベル（たとえば、Ｐｍａｘ）が、ブロック１０２で示すように決定される。各コンポーネントキャリアに対する制約ＳＲＳ電力レベルは、ブロック１０４で示すように、無制約ＳＲＳ電力レベルと、コンポーネントキャリアに基づく最大電力レベルとの低い方に設定される。上述したように、コンポーネントキャリアに基づく最大電力レベルは、ｉ）ブロック１２０で示すキャリア共通ＳＲＳ電力オフセット、ｉｉ）ブロック１２２で示すキャリア共通ＳＲＳ帯域幅パラメータ、ｉｉｉ）ブロック１２４で示すキャリア共通開ループ電力パラメータ、ｉｖ）ブロック１２６で示すキャリア共通経路損失補償係数、またはｖ）ブロック１２８で示すキャリア共通閉ループ電力調整関数の少なくとも１つに基づくキャリア固有電力レベルでよい。各コンポーネントキャリアに対するＳＲＳ送信電力レベルは、ブロック１０６で示すように、選択された制約ＳＲＳ電力レベルに設定される。
【０１０７】
ケース２では、ＣＡ中のＳＲＳが、ＴＤＭで送信される。ＳＲＳが、ＴＤＭを用いて（すなわち、１つのＳＲＳ送信が、ＳＲＳサブフレーム中、およびキャリア内で）送信されるとき、ＳＲＳに対する電力設定は、ＰＣ公式に従って決定されるが、この場合、Ｐｍａｘは、
ＰSRS（ｉ，ｋ）＝ｍｉｎ｛ＰMAX，ＰSRS_OFFSET（ｋ）＋１０ｌｏｇ10（ＭSRS（ｋ））＋ＰO_PUSCH（ｊ，ｋ）＋α（ｋ）・ＰＬ（ｋ）＋ｆ（ｉ，ｋ）｝  式９
のように、合計ＷＴＲＵ最大電力である。
【０１０８】
ＳＲＳが、多重アンテナポート（または層）を介して送信されるとき、ＰＣ要件／動作が定義されなければならない。可能な選択肢は、サブフレームｉ中で第ｎのアンテナポート（または層）において送信されるＳＲＳ用のＷＴＲＵ送信電力の設定が、
ＰSRS（ｉ，ｎ）＝ｍｉｎ｛ＰMAX，ＰSRS_OFFSET＋１０ｌｏｇ10（ＭSRS（ｉ，ｎ））＋ＰO_PUSCH（ｊ）＋α・ＰＬ＋ｆ（ｉ）＋ΔSRS_MIMO（ｊ）｝  式１０
となるように、ＬＴＥ  ＵＬ  ＰＣ公式を修正することであり、上式で、ｎは、アンテナポート（または層）索引である。
【０１０９】
Ｐｍａｘは、合計最大ＷＴＲＵ電力である。ＭSRS（ｉ，ｎ）は、アンテナポート固有ＳＲＳ  ＢＷ帯域幅パラメータである。ＭSRS（ｉ，ｎ）は、ＲＢの数による、サブフレームｉ中での第ｎのアンテナポート（または層）を介したＳＲＳ送信のＢＷである。各アンテナポート（または層）が、ＭＩＭＯにおけるＳＲＳオーバーヘッドを削減するために、異なる（柔軟な）数のＲＢを使う（たとえば、周波数における異なるＳＲＳ密度を認める）ことが可能である。
【０１１０】
図５は、多重アンテナポート（または層）を介してＳＲＳが送信される構成のためのＳＲＳ電力制御を示す基本的フローチャートである。このような技術は、上で開示したＳＲＳ電力制御方法（たとえば、図３、４に示す技術など）と組み合わされ得ることが理解されよう。この例では、全コンポーネントキャリアに対する無制約ＳＲＳ電力レベル（たとえば、Ｐｍａｘ）が、ブロック１３２で示すように決定される。各コンポーネントキャリアに対する制約ＳＲＳ電力レベルは、ブロック１３４で示すように、無制約ＳＲＳ電力レベルと、コンポーネントキャリアに基づく最大電力レベルとの低い方に設定される。上述したように、コンポーネントキャリアに基づく最大電力レベルは、ｉ）ブロック１４０で示すアンテナポート固有ＳＲＳ帯域幅パラメータ、またはｉｉ）ブロック１４２で示すＳＲＳ  ＭＩＭＯオフセットパラメータの少なくとも一方に基づくキャリア固有電力レベルでよい。各コンポーネントキャリアに対するＳＲＳ送信電力レベルは、ブロック１３６で示すように、選択された制約ＳＲＳ電力レベルに設定される。
【０１１１】
ＰＵＳＣＨに対してＵＬ  ＭＩＭＯ（たとえば、最大４つのアンテナ）を用いると、ＰＵＳＣＨ送信のための様々なＭＩＭＯ選択肢（ＳＭ  ＭＩＭＯ、Ｔｘダイバーシティ、およびＢＦを含む）があり得る。ただし、多重アンテナを用いるＳＲＳ送信モードは、決定論的（または半静的）でよい。その場合、異なるＰSRS_OFFSET値が、ＰＵＳＣＨ用の異なるＭＩＭＯ選択肢のために必要とされ得る。ＰSRS_OFFSETの範囲は、適切に修正される必要があり得る。
【０１１２】
あるいは、ＳＲＳ  ＭＩＭＯオフセットパラメータ、すなわちΔSRS_MIMO（ｊ）を、上記式に示すように使うことができ、ここで、オフセットは、ＰＵＳＣＨ用に使われるＭＩＭＯモードと、ＳＲＳ用に使われるＭＩＭＯモードとの間のＭＩＭＯ利得差を表す。ＳＲＳは、プリコーディングすることができる。たとえば、ＰＵＳＣＨが、Ｔｘダイバーシティモードを使い、ＳＲＳが、多重アンテナを介して（ただしプリコーディングされずに）送信されるとき、ΔSRS_MIMO（ｊ）は、３ｄＢ程度に設定され得る。ΔSRS_MIMOは、半静的シグナリングによりルックアップテーブルを使うなどして、上位層によって与えられ得る。たとえば、以下のテーブル２が与えられる。他の数も使われ得ることが理解されよう。
【０１１３】
【表２】
0005555763.tif 000005
【０１１４】
あるいは、ΔSRS_MIIMO（ｊ）は、ＰO_PUSCH（特にＰO_UE_PUSCH）に吸収されてよく、そうすることによって、項ΔSRS_MIIMO（ｊ）が、上記式から削除され得る。この場合、ＰO_UE_PUSCHの範囲は、修正を必要とする。
【０１１５】
ＵＬ  ＭＩＭＯ（たとえば、最大４つのアンテナ）を用いると、多重送信アンテナを介した同時ＳＲＳ送信が起きた場合、アンテナ（またはアンテナポート）の数が増大するのに従って、各アンテナ（またはアンテナポート）に対するＳＲＳの送信電力密度が低くなり、その結果、ｅＮｏｄｅＢの所でチャネル推定性能が低下し得る。この問題は、以下のように解決することができる。
【０１１６】
選択肢１：ｅＮｏｄｅＢは、各ＳＲＳサブフレーム中での、単一アンテナにおける１つのＳＲＳ送信（または２つのアンテナを介した多くとも２つのＳＲＳ）など、ＳＲＳ送信用にＴＤＭモードに切り換わるよう、上位層を介してＷＴＲＵにシグナリングすればよい。
【０１１７】
選択肢２：多重アンテナを介した同時ＳＲＳ送信用の必要ＷＴＲＵ送信電力の合計が、所定の閾値による最大ＷＴＲＵ電力を超えるとき、ＷＴＲＵは、次のＳＲＳサブフレーム中で送信されるべき１つのＳＲＳ（可能性としては、送信電力が利用可能な場合はより多くのＳＲＳ）を選択すればよく、ここで選択は、循環方式に基づく。
【０１１８】
選択肢３：ＳＲＳ  ＢＷ、すなわちＭSRS（ｉ，ｎ）が、ｅＮｏｄｅＢによって適切に調整され（再構成され）、上位層を介してＷＴＲＵにシグナリングされ得る。多重アンテナを介した同時ＳＲＳ送信用の必要送信電力の合計がＰｍａｘを超えるとき、電力削減技術を用いればよい。たとえば、個々のＳＲＳ用の送信電力は、最大電力制約を満たすように、均一に削減され得る。あるいは、個々のキャリアＳＲＳ用の送信電力は、最大電力制約を満たすように、相対的に（たとえば、個々のＳＲＳ電力に比例して）削減され得る。あるいは、ＳＲＳ送信の１つまたはいくつか、たとえば、非アンカキャリア内のＳＲＳがドロップされ得る）。どのＳＲＳ送信が（コンポーネントキャリア（ＣＣ）単位および／またはサブバンド単位で）送信され、どれがドロップされるかの判定に、追加基準を用いることができる。こうした基準は以下、に基づき得る。すなわち、１）ＳＲＳ送信の所定の（構成された）優先権、２）以前のＳＲＳ送信の履歴、たとえば限られた数のスケジュールされた、または要求されたＳＲＳ  ＣＣおよび／またはサブバンドだけがサポートされ得るとき、ＷＴＲＵは、構成された全ＳＲＳが送信されるまで、各ＳＲＳ送信機会で送信されるべき、構成済みＳＲＳを周期的に繰り返し、ＷＴＲＵは次いで、第１のＳＲＳ送信に逆循環する、３）ＷＴＲＵは、最も好ましいと見なすＣＣ（複数可）および／またはサブバンド（複数可）を選択することができ、こうした帯域内で、利用可能な電力の限界までＳＲＳを送信する。ドロッピング技術に加え、ＷＴＲＵは、均一でないＳＲＳ電力スケーリングも実装することができる。均一でないＳＲＳ電力スケーリングも、上記基準に基づき得る。あるいは、ＰＣ式におけるＰｍａｘは、電力増幅器（ＰＡ）ごとに定義され得る。この場合、合計最大ＷＴＲＵ送信電力は、複数のＰＡの間で等しく分散され得る。つまり、Ｐｍａｘ（ｄＢ）＝Ｐｍａｘ−１０＊ｌｏｇ１０（Ｎｐａ）となり、ここでＮｐａは、所与のＳＲＳサブフレーム中の、ＷＴＲＵ内のアクティブなＰＡの数である。
【０１１９】
（実施形態）
１．同時に送信されるコンポーネントキャリアを使う、ワイヤレス送受信ユニット（ＷＴＲＵ）におけるサウンディング参照信号（ＳＲＳ）電力制御のための方法であって、
各コンポーネントキャリアに対するＳＲＳ送信電力レベルを、選択された制約ＳＲＳ電力レベルに設定することを含む方法。
【０１２０】
２．各コンポーネントキャリアに対する無制約ＳＲＳ電力レベルを決定することをさらに含む実施形態１に記載の方法。
【０１２１】
３．無制約ＳＲＳ電力レベルと、コンポーネントキャリアに基づく最大電力レベルとの低い方を、各コンポーネントキャリアに対する制約ＳＲＳ電力レベルとして選択することをさらに含む前記実施形態のいずれかに記載の方法。
【０１２２】
４．コンポーネントキャリアに基づく最大電力レベルは、コンポーネントキャリア固有ＳＲＳ電力オフセットに基づくキャリア固有電力レベルである前記実施形態のいずれかに記載の方法。
【０１２３】
５．コンポーネントキャリアに基づく最大電力レベルは、コンポーネントキャリア固有ＳＲＳ帯域幅パラメータに基づくキャリア固有電力レベルである前記実施形態のいずれかに記載の方法。
【０１２４】
６．コンポーネントキャリアに基づく最大電力レベルは、コンポーネントキャリア固有開ループ電力パラメータに基づくキャリア固有電力レベルである前記実施形態のいずれかに記載の方法。
【０１２５】
７．コンポーネントキャリアに基づく最大電力レベルは、コンポーネントキャリア固有経路損失補償係数に基づくキャリア固有電力レベルである前記実施形態のいずれかに記載の方法。
【０１２６】
８．コンポーネントキャリアに基づく最大電力レベルは、コンポーネントキャリア固有閉ループ電力調整関数に基づくキャリア固有電力レベルである前記実施形態のいずれかに記載の方法。
【０１２７】
９．コンポーネントキャリアに基づく最大電力レベルは、キャリア共通ＳＲＳ電力オフセットに基づくキャリア共通電力レベルである前記実施形態のいずれかに記載の方法。
【０１２８】
１０．コンポーネントキャリアに基づく最大電力レベルは、キャリア共通ＳＲＳ帯域幅パラメータに基づくキャリア共通電力レベルである実施形態１〜３または９のいずれか１つに記載の方法。
【０１２９】
１１．コンポーネントキャリアに基づく最大電力レベルは、キャリア共通開ループ電力パラメータに基づくキャリア共通電力レベルである実施形態１〜３または９〜１０のいずれか１つに記載の方法。
【０１３０】
１２．コンポーネントキャリアに基づく最大電力レベルは、キャリア共通経路損失補償係数に基づくキャリア共通電力レベルである実施形態１〜３または９〜１１のいずれか１つに記載の方法。
【０１３１】
１３．コンポーネントキャリアに基づく最大電力レベルは、キャリア共通閉ループ電力調整関数に基づくキャリア共通電力レベルである実施形態１〜３または９〜１２のいずれか１つに記載の方法。
【０１３２】
１４．各コンポーネントキャリアに対する必要送信電力の合計が、最大電力レベルを超えるという条件で、コンポーネントキャリアの少なくとも一部分に対するＳＲＳ送信電力レベルを均一に削減することをさらに含む前記実施形態のいずれかに記載の方法。
【０１３３】
１５．複数のアンテナポートを介して同時に送信される複数のキャリアを使う、ワイヤレス送受信ユニット（ＷＴＲＵ）用のサウンディング参照信号（ＳＲＳ）電力制御のための方法であって、各キャリアに対するＳＲＳ送信電力レベルを、制約ＳＲＳ電力レベルに設定することを含む方法。
【０１３４】
１６．各キャリアに対する無制約ＳＲＳ電力レベルを決定することをさらに含む実施形態１５に記載の方法。
【０１３５】
１７．無制約ＳＲＳ電力レベルと最大電力レベルとの低い方を、各キャリアに対する制約ＳＲＳ電力レベルとして選択することをさらに含む実施形態１５〜１６のいずれか１つに記載の方法。
【０１３６】
１８．各キャリアの無制約ＳＲＳ電力レベルは、アンテナポート固有ＳＲＳ帯域幅パラメータに基づく実施形態１５〜１７のいずれか１つに記載の方法。
【０１３７】
１９．各キャリアの無制約ＳＲＳ電力レベルは、ＳＲＳ  ＭＩＭＯ（多重入出力）オフセットパラメータに基づく実施形態１５〜１８のいずれか１つに記載の方法。
【０１３８】
２０．少なくとも２つのキャリアを、ＴＤＭ（時分割多重化）モードで送信することをさらに含む前記実施形態のいずれかに記載の方法。
【０１３９】
２１．少なくとも２つのキャリアをＦＤＭ（周波数分割多重化）モードで送信することをさらに含む前記実施形態のいずれかに記載の方法。
【０１４０】
２２．ＳＲＳ送信に割り当てられたトーン／サブキャリアのサブセット上でのみ送信することをさらに含む実施形態２１に記載の方法。
【０１４１】
２３．各アンテナに使われるトーンの循環（ホッピング）を用いることをさらに含む実施形態２２に記載の方法。
【０１４２】
２４．少なくとも２つのキャリアを、ＣＤＭ（符号分割多重化）モードで送信することをさらに含む前記実施形態のいずれかに記載の方法。
【０１４３】
２５．直交ＳＲＳを生成するための様々な位相回転をさらに含む実施形態２４に記載の方法。
【０１４４】
２６．直交ＳＲＳを生成するための直交カバーコードをさらに含む実施形態２４に記載の方法。
【０１４５】
２７．同時に複数のアンテナポートを介したＳＲＳ送信用の必要送信電力の合計が、所定の閾値を超えるという条件で、次のＳＲＳサブフレーム上での送信用に少なくとも１つのキャリアを選択することをさらに含む前記実施形態のいずれかに記載の方法。
【０１４６】
２８．各コンポーネントキャリアに対する必要送信電力の合計が、最大電力レベルを超えるという条件で、コンポーネントキャリアの少なくとも一部分に対するＳＲＳ送信電力レベルを均一に削減することをさらに含む前記実施形態のいずれかに記載の方法。
【０１４７】
２９．各ＳＲＳ送信が、複数のＳＲＳ送信における他のＳＲＳ送信と直交するように、複数のＳＲＳ送信を符号化することをさらに含む前記実施形態のいずれかに記載の方法。
【０１４８】
３０．様々なキャリアセットに関連づけられた２つのキャリアサブセットを定義することをさらに含む前記実施形態のいずれかに記載の方法。
【０１４９】
３１．キャリアサブセットを、別々のＳＲＳサブフレーム中で送信することをさらに含む実施形態３０に記載の方法。
【０１５０】
３２．各キャリアは、いくつかのアンテナポートに基づくＳＲＳ周期を有する前記実施形態のいずれかに記載の方法。
【０１５１】
３３．各キャリアは、非周期性要求に基づくＳＲＳ周期を有する前記実施形態のいずれかに記載の方法。
【０１５２】
３４．各キャリアは、否定応答（ＮＡＣＫ）測定閾値に基づくＳＲＳ周期を有する前記実施形態のいずれかに記載の方法。
【０１５３】
３５．前記実施形態のいずれか１つに記載の方法を実施するように構成されたワイヤレス送受信ユニット（ＷＴＲＵ）。
【０１５４】
３６．前記実施形態のいずれか１つに記載の方法を実施するように構成された集積回路。
【０１５５】
特徴および要素について、具体的に組み合わせて上で記載したが、各特徴または要素は、他の特徴および要素なしで個別に、または他の特徴および要素ありでもなしでも、様々に組み合わせて用いることができる。ここで挙げた方法またはフローチャートは、汎用コンピュータまたはプロセッサによる実行用のコンピュータ可読記憶媒体に組み込まれた、コンピュータプログラム、ソフトウェア、またはファームウェアで実装することができる。コンピュータ可読記憶媒体の例は、ＲＯＭ（読出し専用メモリ）、ＲＡＭ（ランダムアクセスメモリ）、レジスタ、キャッシュメモリ、半導体メモリ素子、内部ハードディスクおよび取外し可能ディスクなどの磁気メディア、光磁気メディア、ならびにＣＤ−ＲＯＭディスク、およびＤＶＤ（デジタル多用途ディスク）などの光メディアを含む。
【０１５６】
適切なプロセッサは、例として、汎用プロセッサ、特殊目的プロセッサ、従来のプロセッサ、デジタル信号プロセッサ（ＤＳＰ）、複数のマイクロプロセッサ、ＤＳＰコアと関連した１つもしくは複数のマイクロプロセッサ、コントローラ、マイクロコントローラ、ＡＳＩＣ（特定用途向け集積回路）、アプリケーション固有標準製品（ＡＳＳＰ）、ＦＰＧＡ（フィールドプログラム可能ゲートアレイ）回路、他の任意のタイプのＩＣ（集積回路）、および／または状態マシンを含む。
【０１５７】
ソフトウェアと関連したプロセッサは、ワイヤレス送受信ユニット（ＷＴＲＵ）、ユーザ機器（ＵＥ）、端末、基地局、移動管理エンティティ（ＭＭＥ）もしくは進化型パケットコア（ＥＰＣ）、または任意のホストコンピュータ内で使用するための無線周波数トランシーバを実装するのに使うことができる。ＷＴＲＵは、ハードウェアおよび／またはソフトウェア無線（ＳＤＲ）を含むソフトウェアで実装されるモジュール、ならびにカメラ、ビデオカメラモジュール、テレビ電話、スピーカフォン、振動装置、スピーカ、マイクロホン、テレビトランシーバ、ハンズフリーヘッドセット、キーボード、ブルートゥース（登録商標）モジュール、ＦＭ（周波数変調）無線ユニット、近距離無線通信（ＮＦＣ）モジュール、ＬＣＤ（液晶ディスプレイ）表示ユニット、ＯＬＥＤ（有機発光ダイオード）表示ユニット、デジタル音楽プレーヤ、メディアプレーヤ、ビデオゲームプレーヤモジュール、インターネットブラウザ、および／または任意のＷＬＡＮ（ワイヤレスローカルエリアネットワーク）もしくは超広帯域（ＵＷＢ）モジュールなど、他のコンポーネントとともに使うことができる。
【図１】
0005555763.tif 000006
【図２】
0005555763.tif 000007
【図３】
0005555763.tif 000008
【図４】
0005555763.tif 000009
【図５】
0005555763.tif 000010